【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
半持続性スケジューリング（ＳＰＳ）のための構成を示すシグナリングを受信することと、
前記ＳＰＳをアクティブ化するダウンリンク制御メッセージを受信することと、
前記ダウンリンク制御メッセージまたは前記構成に少なくとも部分的に基づいて、前記ＳＰＳによって割り当てられたリソースのためのカバレージ拡張レベルを決定することと、および
前記カバレージ拡張レベルに従って、前記ＳＰＳによって割り当てられた前記リソース上で基地局と通信することと
を備える、方法。
【請求項２】
前記カバレージ拡張レベルに少なくとも部分的に基づいて、前記ＳＰＳによって割り当てられた前記リソースの周期性を決定すること
をさらに備える、請求項１に記載の方法。
【請求項３】
前記構成の送信期間中にアップリンクデータバッファが空であると決定することと、ここにおいて、前記構成がアップリンクＳＰＳ構成を備える、および
前記アップリンクデータバッファが空であるという前記決定に少なくとも部分的に基づいて、前記送信期間中に、前記ＳＰＳによって割り当てられた前記リソース上で送信することを控えることと
をさらに備える、請求項１に記載の方法。
【請求項４】
前記構成の前記送信期間中に前記アップリンクデータバッファが空であるかどうかを決定するための指示を受信することをさらに備え、ここにおいて、送信することを前記控えることが、前記指示に少なくとも部分的に基づく、または、
前記リソース上で送信することを前記控えることに少なくとも部分的に基づいて、カウンタを増分することと、
前記カウンタが、しきい値を超える値を有すると決定することと、および
前記カウンタが前記しきい値を超えるという前記決定に少なくとも部分的に基づいて、前記ＳＰＳを解放することと
をさらに備える、請求項３に記載の方法。
【請求項５】
リソースの動的割当てを備える第２のダウンリンク制御メッセージを受信することと、および
前記動的割当てによって割り当てられた前記リソースが、前記ＳＰＳによって割り当てられた前記リソースと重複すると決定することと
をさらに備える、請求項１に記載の方法。
【請求項６】
前記動的割当てに少なくとも部分的に基づいて通信することと、および
前記動的割当てによって割り当てられた前記リソースが、前記ＳＰＳによって割り当てられた前記リソースと重複するという前記決定に少なくとも部分的に基づいて、前記ＳＰＳによって割り当てられた前記リソースの少なくとも一部分上で通信することを控えることと
をさらに備える、請求項５に記載の方法。
【請求項７】
前記ＳＰＳによって割り当てられた前記リソースがバンドル送信時間間隔（ＴＴＩｓ）を備え、およびここにおいて、通信することを前記控えることが、
ＴＴＩｓの少なくとも１つのバンドルにわたって通信することを控えること
を備える、請求項６に記載の方法。
【請求項８】
前記動的割当てによって割り当てられた前記リソースが、前記ＳＰＳによって割り当てられた前記リソースと重複すると決定することに少なくとも部分的に基づいて、前記ＳＰＳを解放すること
をさらに備える、請求項５に記載の方法。
【請求項９】
前記動的割当てによって割り当てられた前記リソースが、前記ＳＰＳによって割り当てられた前記リソースと重複すると決定することに少なくとも部分的に基づいて、前記動的割当てによって割り当てられた前記リソース上で通信することを控えること
をさらに備える、請求項５に記載の方法。
【請求項１０】
通信することを前記控えることは、前記構成がアップリンク構成を備えるのかダウンリンク構成を備えるのかに少なくとも部分的に基づく、請求項９に記載の方法。
【請求項１１】
前記カバレージ拡張レベルを決定することが、
カバレージ拡張レベルのセットから前記カバレージ拡張レベルを選定することを備え、ここにおいて、前記セットが、カバレージ拡張なしに対応するレベルを備える、
請求項１に記載の方法。
【請求項１２】
ワイヤレス通信の方法であって、
半持続性スケジューリング（ＳＰＳ）のための構成を示すシグナリングを送信することと、
前記ＳＰＳをアクティブ化するダウンリンク制御メッセージを送信することと、ここにおいて、前記構成または前記ダウンリンク制御メッセージがカバレージ拡張レベルを示す、および
前記カバレージ拡張レベルに従って、前記ＳＰＳによって割り当てられたリソース上でユーザ機器（ＵＥ）と通信することと
を備える、方法。
【請求項１３】
複数のカバレージ拡張レベルの各々のための周期性のセットを識別することと、および
周期性の各セットから周期性を選定することと、ここにおいて、前記ＳＰＳのための前記構成が、各セットからの前記周期性を備える、
をさらに備える、または、
リソースの動的割当てを備える第２のダウンリンク制御メッセージを送信することをさらに備え、ここにおいて、前記動的割当てによって割り当てられた前記リソースが、前記ＳＰＳによって割り当てられた前記リソースと重複し、ここにおいて、前記ＵＥと通信することが、前記動的割当てによって割り当てられた前記リソースに少なくとも部分的に基づいて通信することを備える、または、ここにおいて、ＳＰＳのための前記構成を示す前記シグナリングが、前記ＵＥのアップリンクデータバッファが空であるとき、前記構成の送信期間中に送信することを控えるようにとの前記ＵＥに対する指示を備える、請求項１２に記載の方法。
【請求項１４】
ワイヤレス通信のための装置であって、
請求項１〜請求項１３のうちのいずれか一項のステップを実行するように構成された手段を備える、装置。
【請求項１５】
ワイヤレス通信のためのコードを記憶する非一時的コンピュータ可読媒体であって、前記コードが、請求項１〜請求項１３のうちのいずれか一項のステップを実行するように構成された命令を備える、非一時的コンピュータ可読媒体。
【手続補正２】
【補正対象書類名】明細書
【補正対象項目名】０１５０
【補正方法】変更
【補正の内容】
【０１５０】
[0160]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
以下に本願の出願当初の特許請求の範囲に記載された発明を付記する。
[Ｃ１]  ワイヤレス通信の方法であって、
半持続性スケジューリング（ＳＰＳ）のための構成を示すシグナリングを受信することと、
前記ＳＰＳをアクティブ化するダウンリンク制御メッセージを受信することと、
前記ダウンリンク制御メッセージまたは前記構成に少なくとも部分的に基づいて、前記ＳＰＳによって割り当てられたリソースのためのカバレージ拡張レベルを決定することと、および
前記カバレージ拡張レベルに従って、前記ＳＰＳによって割り当てられた前記リソース上で基地局と通信することと
を備える、方法。
[Ｃ２]  前記カバレージ拡張レベルに少なくとも部分的に基づいて、前記ＳＰＳによって割り当てられた前記リソースの周期性を決定すること
をさらに備える、Ｃ１に記載の方法。
[Ｃ３]  前記構成の送信期間中にアップリンクデータバッファが空であると決定することと、ここにおいて、前記構成がアップリンクＳＰＳ構成を備える、および
前記アップリンクデータバッファが空であるという前記決定に少なくとも部分的に基づいて、前記送信期間中に、前記ＳＰＳによって割り当てられた前記リソース上で送信することを控えることと
をさらに備える、Ｃ１に記載の方法。
[Ｃ４]  前記構成の前記送信期間中に前記アップリンクデータバッファが空であるかどうかを決定するための指示を受信することをさらに備え、ここにおいて、送信することを前記控えることが、前記指示に少なくとも部分的に基づく、
Ｃ３に記載の方法。
[Ｃ５]  前記リソース上で送信することを前記控えることに少なくとも部分的に基づいて、カウンタを増分することと、
前記カウンタが、しきい値を超える値を有すると決定することと、および
前記カウンタが前記しきい値を超えるという前記決定に少なくとも部分的に基づいて、前記ＳＰＳを解放することと
をさらに備える、Ｃ３に記載の方法。
[Ｃ６]  リソースの動的割当てを備える第２のダウンリンク制御メッセージを受信することと、および
前記動的割当てによって割り当てられた前記リソースが、前記ＳＰＳによって割り当てられた前記リソースと重複すると決定することと
をさらに備える、Ｃ１に記載の方法。
[Ｃ７]  前記動的割当てに少なくとも部分的に基づいて通信することと、および
前記動的割当てによって割り当てられた前記リソースが、前記ＳＰＳによって割り当てられた前記リソースと重複するという前記決定に少なくとも部分的に基づいて、前記ＳＰＳによって割り当てられた前記リソースの少なくとも一部分上で通信することを控えることと
をさらに備える、Ｃ６に記載の方法。
[Ｃ８]  前記ＳＰＳによって割り当てられた前記リソースがバンドル送信時間間隔（ＴＴＩｓ）を備え、およびここにおいて、通信することを前記控えることが、
ＴＴＩｓの少なくとも１つのバンドルにわたって通信することを控えること
を備える、Ｃ７に記載の方法。
[Ｃ９]  前記動的割当てによって割り当てられた前記リソースが、前記ＳＰＳによって割り当てられた前記リソースと重複すると決定することに少なくとも部分的に基づいて、前記ＳＰＳを解放すること
をさらに備える、Ｃ６に記載の方法。
[Ｃ１０]  前記動的割当てによって割り当てられた前記リソースが、前記ＳＰＳによって割り当てられた前記リソースと重複すると決定することに少なくとも部分的に基づいて、前記動的割当てによって割り当てられた前記リソース上で通信することを控えること
をさらに備える、Ｃ６に記載の方法。
[Ｃ１１]  通信することを前記控えることは、前記構成がアップリンク構成を備えるのかダウンリンク構成を備えるのかに少なくとも部分的に基づく、Ｃ１０に記載の方法。
[Ｃ１２]  前記カバレージ拡張レベルを決定することが、
カバレージ拡張レベルのセットから前記カバレージ拡張レベルを選定することを備え、ここにおいて、前記セットが、カバレージ拡張なしに対応するレベルを備える、
Ｃ１に記載の方法。
[Ｃ１３]  ワイヤレス通信の方法であって、
半持続性スケジューリング（ＳＰＳ）のための構成を示すシグナリングを送信することと、
前記ＳＰＳをアクティブ化するダウンリンク制御メッセージを送信することと、ここにおいて、前記構成または前記ダウンリンク制御メッセージがカバレージ拡張レベルを示す、および
前記カバレージ拡張レベルに従って、前記ＳＰＳによって割り当てられたリソース上でユーザ機器（ＵＥ）と通信することと
を備える、方法。
[Ｃ１４]  複数のカバレージ拡張レベルの各々のための周期性のセットを識別することと、および  周期性の各セットから周期性を選定することと、ここにおいて、前記ＳＰＳのための前記構成が、各セットからの前記周期性を備える、
をさらに備える、Ｃ１３に記載の方法。
[Ｃ１５]  リソースの動的割当てを備える第２のダウンリンク制御メッセージを送信することをさらに備え、ここにおいて、前記動的割当てによって割り当てられた前記リソースが、前記ＳＰＳによって割り当てられた前記リソースと重複し、ここにおいて、前記ＵＥと通信することが、前記動的割当てによって割り当てられた前記リソースに少なくとも部分的に基づいて通信することを備える、
Ｃ１３に記載の方法。
[Ｃ１６]  ＳＰＳのための前記構成を示す前記シグナリングは、前記ＵＥのアップリンクデータバッファが空であるとき、前記構成の送信期間中に送信することを控えるための前記ＵＥへの指示を備える、Ｃ１３に記載の方法。
[Ｃ１７]  ワイヤレス通信のための装置であって、
半持続性（ＳＰＳ）のための構成を示すシグナリングを受信するための手段と、
前記ＳＰＳをアクティブ化するダウンリンク制御メッセージを受信するための手段と、  前記ダウンリング制御メッセージまたは前記構成に少なくとも部分的に基づいて、前記ＳＰＳによって割り当てられたリソースのためのカバレージ拡張レベルを決定するための手段と、および
前記カバレージ拡張レベルに従って、前記ＳＰＳによって割り当てられた前記リソース上で基地局と通信するための手段と
を備える、装置。
[Ｃ１８]  前記カバレージ拡張レベルに少なくとも部分的に基づいて、前記ＳＰＳによって割り当てられた前記リソースの周期性を決定するための手段
をさらに備える、Ｃ１７に記載の装置。
[Ｃ１９]  前記構成の送信期間中にアップリンクデータバッファが空であると決定するための手段と、ここにおいて、前記構成がアップリンクＳＰＳ構成を備える、および
前記アップリンクデータバッファが空であるという前記決定に少なくとも部分的に基づいて、前記送信期間中に、前記ＳＰＳによって割り当てられた前記リソース上で送信することを控えるための手段と
をさらに備える、Ｃ１７に記載の装置。
[Ｃ２０]  ＳＰＳのための前記構成を示す前記シグナリングを受信するための前記手段は、前記構成の前記送信期間中に前記アップリンクデータバッファが空であるかどうかを決定するための指示を受信するための手段を備え、およびここにおいて、送信することを控えるための前記手段が、前記指示に少なくとも部分的に基づいて動作可能である、Ｃ１９に記載の装置。
[Ｃ２１]  前記リソース上で送信することを前記控えることに少なくとも部分的に基づいて、カウンタを増分するための手段と、
前記カウンタが、しきい値を超える値を有すると決定するための手段と、および
前記カウンタが前記しきい値を超えるという前記決定に少なくとも部分的に基づいて、前記ＳＰＳを解放するための手段と
をさらに備える、Ｃ１９に記載の装置。
[Ｃ２２]  リソースの動的割当てを備える第２のダウンリンク制御メッセージを受信するための手段と、および
前記動的割当てによって割り当てられた前記リソースが、前記ＳＰＳによって割り当てられた前記リソースと重複すると決定するための手段と
をさらに備える、Ｃ１７に記載の装置。
[Ｃ２３]  前記動的割当てに少なくとも部分的に基づいて通信するための手段と、および
前記動的割当てによって割り当てられた前記リソースが、前記ＳＰＳによって割り当てられた前記リソースと重複するという前記決定に少なくとも部分的に基づいて、前記ＳＰＳによって割り当てられた前記リソースの少なくとも一部分上で通信することを控えるための手段と
をさらに備える、Ｃ２２に記載の装置。
[Ｃ２４]  通信することを控えるための前記手段が、
送信時間間隔（ＴＴＩｓ）の少なくとも１つのバンドルにわたって通信することを控えるための手段を備え、ここにおいて、前記ＳＰＳによって割り当てられた前記リソースがバンドル送信ＴＴＩｓを備える、
Ｃ２３に記載の装置。
[Ｃ２５]  前記動的割当てによって割り当てられた前記リソースが、前記ＳＰＳによって割り当てられた前記リソースと重複すると決定することに少なくとも部分的に基づいて、前記ＳＰＳを解放するための手段
をさらに備える、Ｃ２２に記載の装置。
[Ｃ２６]  前記動的割当てによって割り当てられた前記リソースが、前記ＳＰＳによって割り当てられた前記リソースと重複すると決定することに少なくとも部分的に基づいて、前記動的割当てによって割り当てられた前記リソース上で通信することを控えるための手段
をさらに備える、Ｃ２２に記載の装置。
[Ｃ２７]  通信することを控えるための前記手段は、前記構成がアップリンク構成を備えるのかダウンリンク構成を備えるのかに少なくとも部分的に基づいて動作可能である、Ｃ２６に記載の装置。
[Ｃ２８]  前記カバレージ拡張レベルを決定するための手段が、
カバレージ拡張レベルのセットから前記カバレージ拡張レベルを選定するための手段を備え、ここにおいて、前記セットが、カバレージ拡張なしに対応するレベルを備える、Ｃ１７に記載の装置。
[Ｃ２９]  ワイヤレス通信のための装置であって、
半持続性スケジューリング（ＳＰＳ）のための構成を示すシグナリングを送信するための手段と、
前記ＳＰＳをアクティブ化するダウンリンク制御メッセージを送信するための手段と、ここにおいて、前記構成または前記ダウンリンク制御メッセージがカバレージ拡張レベルを示す、および
前記カバレージ拡張レベルに従って、前記ＳＰＳによって割り当てられたリソース上でユーザ機器（ＵＥ）と通信するための手段と
を備える、装置。
[Ｃ３０]  複数のカバレージ拡張レベルの各々のための周期性のセットを識別するための手段と、および
周期性の各セットから周期性を選定するための手段と、ここにおいて、前記ＳＰＳのための前記構成が、各セットからの前記周期性を備える、
をさらに備える、Ｃ２９に記載の装置。
[Ｃ３１]  リソースの動的割当てを備える第２のダウンリンク制御メッセージを送信するための手段をさらに備え、ここにおいて、前記動的割当てが、前記ＳＰＳによって割り当てられた前記リソースと重複し、およびここにおいて、前記ＵＥと通信するための前記手段が、リソースの前記動的割当てに少なくとも部分的に基づいて通信するように動作可能である、Ｃ２９に記載の装置。
[Ｃ３２]  ワイヤレス通信のための装置であって、
プロセッサと、
前記プロセッサと電子通信しているメモリと、および
前記メモリに記憶された命令とを備え、前記命令が、前記プロセッサによって実行されたとき、前記装置に、
半持続性スケジューリング（ＳＰＳ）のための構成を示すシグナリングを受信することと、
前記ＳＰＳをアクティブ化するダウンリンク制御メッセージを受信することと、
前記ダウンリング制御メッセージまたは前記構成に少なくとも部分的に基づいて、前記ＳＰＳによって割り当てられたリソースのためのカバレージ拡張レベルを決定することと、および
前記カバレージ拡張レベルに従って、前記ＳＰＳによって割り当てられた前記リソース上で基地局と通信することと
を行わせるように動作可能である、装置。
[Ｃ３３]  前記命令が、前記装置に、
前記カバレージ拡張レベルに少なくとも部分的に基づいて、前記ＳＰＳによって割り当てられた前記リソースの周期性を決定すること
を行わせるように動作可能である、Ｃ３２に記載の装置。
[Ｃ３４]  前記命令は、前記装置に、
前記構成の送信期間中にアップリンクデータバッファが空であると決定することと、ここにおいて、前記構成がアップリンクＳＰＳ構成を備える、および
前記アップリンクデータバッファが空であるという前記決定に少なくとも部分的に基づいて、前記送信期間中に、前記ＳＰＳによって割り当てられた前記リソース上で送信することを控えることと
を行わせるように動作可能である、Ｃ３２に記載の装置。
[Ｃ３５]  前記命令は、前記装置に、
前記構成の前記送信期間中に前記アップリンクデータバッファが空であるかどうかを決定するための指示を受信することと、および
前記指示に少なくとも部分的に基づく、送信することを控えることと
を行わせるように動作可能である、Ｃ３４に記載の装置。
[Ｃ３６]  前記命令は、前記装置に、
前記リソース上で送信することを前記控えることに少なくとも部分的に基づいて、カウンタを増分することと、
前記カウンタが、しきい値を超える値を有すると決定することと、および
前記カウンタが前記しきい値を超えるという前記決定に少なくとも部分的に基づいて、前記ＳＰＳを解放することと
を行わせるように動作可能である、Ｃ３４に記載の装置。
[Ｃ３７]  前記命令は、前記装置に、
リソースの動的割当てを備える第２のダウンリンク制御メッセージを受信することと、および
前記動的割当てによって割り当てられた前記リソースが、前記ＳＰＳによって割り当てられた前記リソースと重複すると決定することと
を行わせるように動作可能である、Ｃ３２に記載の装置。
[Ｃ３８]  前記命令は、前記装置に、
前記動的割当てに少なくとも部分的に基づいて通信することと、および
前記動的割当てによって割り当てられた前記リソースが、前記ＳＰＳによって割り当てられた前記リソースと重複するという前記決定に少なくとも部分的に基づいて、前記ＳＰＳによって割り当てられた前記リソースの少なくとも一部分上で通信することを控えることと
を行わせるように動作可能である、Ｃ３７に記載の装置。
[Ｃ３９]  前記ＳＰＳによって割り当てられた前記リソースがバンドル送信時間間隔（ＴＴＩｓ）を備え、およびここにおいて、前記命令が、前記装置に、
ＴＴＩｓの少なくとも１つのバンドルにわたって通信することを控えること
を行わせるように動作可能である、Ｃ３８に記載の装置。
[Ｃ４０]  前記命令は、前記装置に、
前記動的割当てによって割り当てられた前記リソースが、前記ＳＰＳによって割り当てられた前記リソースと重複すると決定することに少なくとも部分的に基づいて、前記ＳＰＳを解放すること
を行わせるように動作可能である、Ｃ３７に記載の装置。
[Ｃ４１]  前記命令は、前記装置に、
前記動的割当てによって割り当てられた前記リソースが、前記ＳＰＳによって割り当てられた前記リソースと重複すると決定することに少なくとも部分的に基づいて、前記動的割当てによって割り当てられた前記リソース上で通信することから
を行わせるように動作可能である、Ｃ３７に記載の装置。
[Ｃ４２]  前記命令は、前記装置に、
前記構成がアップリンク構成を備えるのかダウンリンク構成を備えるのかに少なくとも部分的に基づく、通信することを控えること
を行わせるように動作可能である、Ｃ４１に記載の装置。
[Ｃ４３]  前記命令が、前記装置に、
カバレージ拡張レベルのセットから前記カバレージ拡張レベルを選定することを行わせるように動作可能であり、ここにおいて、前記セットが、カバレージ拡張なしに対応するレベルを備える、
Ｃ３２に記載の装置。
[Ｃ４４]  ワイヤレス通信のための装置であって、
プロセッサと、
前記プロセッサと電子通信しているメモリと、および
前記メモリに記憶された命令とを備え、前記命令が、前記プロセッサによって実行されたとき、前記装置に、
半持続性スケジューリング（ＳＰＳ）のための構成を示すシグナリングを送信することと、
前記ＳＰＳをアクティブ化するダウンリンク制御メッセージを送信することと、ここにおいて、前記構成または前記ダウンリンク制御メッセージがカバレージ拡張レベルを示す、および
前記カバレージ拡張レベルに従って、前記ＳＰＳによって割り当てられたリソース上でユーザ機器（ＵＥ）と通信することと
を行わせるように動作可能である、装置。
[Ｃ４５]  前記命令は、前記装置に、
複数のカバレージ拡張レベルの各々のための周期性のセットを識別することと、および  周期性の各セットから周期性を選定することと、ここにおいて、前記ＳＰＳのための前記構成が、各セットからの前記周期性を備える、
を行わせるように動作可能である、Ｃ４４に記載の装置。
[Ｃ４６]  前記命令は、前記装置に、
リソースの動的割当てを備える第２のダウンリンク制御メッセージを送信することと、ここにおいて、前記動的割当てが、前記ＳＰＳによって割り当てられた前記リソースと重複する、および
リソースの前記動的割当てに少なくとも部分的に基づいて、前記ＵＥと通信することとを行わせるように動作可能である、Ｃ４４に記載の装置。
[Ｃ４７]  ワイヤレス通信のためのコードを記憶する非一時的コンピュータ可読媒体であって、前記コードが、
半持続性スケジューリング（ＳＰＳ）のための構成を示すシグナリングを受信することと、
前記ＳＰＳをアクティブ化するダウンリンク制御メッセージを受信することと、
前記ダウンリング制御メッセージまたは前記構成に少なくとも部分的に基づいて、前記ＳＰＳによって割り当てられたリソースのためのカバレージ拡張レベルを決定することと、および
前記カバレージ拡張レベルに従って、前記ＳＰＳによって割り当てられた前記リソース上で基地局と通信することと
を行うために実行可能な命令を備える、非一時的コンピュータ可読媒体。
[Ｃ４８]  前記命令が、
前記カバレージ拡張レベルに少なくとも部分的に基づいて、前記ＳＰＳによって割り当てられた前記リソースの周期性を決定すること
を行うために実行可能である、Ｃ４７に記載の非一時的コンピュータ可読媒体。
[Ｃ４９]  前記命令は、
前記構成の送信期間中にアップリンクデータバッファが空であると決定することと、ここにおいて、前記構成がアップリンクＳＰＳ構成を備える、および
前記アップリンクデータバッファが空であるという前記決定に少なくとも部分的に基づいて、前記送信期間中に、前記ＳＰＳによって割り当てられた前記リソース上で送信することを控えることと
を行うために実行可能である、Ｃ４７に記載の非一時的コンピュータ可読媒体。
[Ｃ５０]  前記命令は、
前記リソース上で送信することを前記控えることに少なくとも部分的に基づいて、カウンタを増分することと、
前記カウンタが、しきい値を超える値を有すると決定することと、および
前記カウンタが前記しきい値を超えるという前記決定に少なくとも部分的に基づいて、前記ＳＰＳを解放することと
を行うために実行可能である、Ｃ４９に記載の非一時的コンピュータ可読媒体。
[Ｃ５１]  前記命令は、
リソースの動的割当てを備える第２のダウンリンク制御メッセージを受信することと、および
前記動的割当てによって割り当てられた前記リソースが、前記ＳＰＳによって割り当てられた前記リソースと重複すると決定することと
を行うために実行可能である、Ｃ４７に記載の非一時的コンピュータ可読媒体。
[Ｃ５２]  前記命令は、
前記動的割当てに少なくとも部分的に基づいて通信することと、および
前記動的割当てによって割り当てられた前記リソースが、前記ＳＰＳによって割り当てられた前記リソースと重複するという前記決定に少なくとも部分的に基づいて、前記ＳＰＳによって割り当てられた前記リソースの少なくとも一部分上で通信することを控えることと
を行うために実行可能である、Ｃ５１に記載の非一時的コンピュータ可読媒体。
[Ｃ５３]  前記ＳＰＳによって割り当てられた前記リソースがバンドル送信時間間隔（ＴＴＩｓ）を備え、およびここにおいて、前記命令が、
ＴＴＩｓの少なくとも１つのバンドルにわたって通信することを控えること
を行うために実行可能である、Ｃ５２に記載の非一時的コンピュータ可読媒体。
[Ｃ５４]  前記命令は、
前記動的割当てによって割り当てられた前記リソースが、前記ＳＰＳによって割り当てられた前記リソースと重複すると決定することに少なくとも部分的に基づいて、前記ＳＰＳを解放すること
を行うために実行可能である、Ｃ５１に記載の非一時的コンピュータ可読媒体。
[Ｃ５５]  前記命令は、
前記動的割当てによって割り当てられた前記リソースが、前記ＳＰＳによって割り当てられた前記リソースと重複すると決定することに少なくとも部分的に基づいて、前記動的割当てによって割り当てられた前記リソース上で通信することを控えること
を行うために実行可能である、Ｃ５１に記載の非一時的コンピュータ可読媒体。
[Ｃ５６]  通信することを前記控えることは、前記構成がアップリンク構成を備えるのかダウンリンク構成を備えるのかに少なくとも部分的に基づく、Ｃ５５に記載の非一時的コンピュータ可読媒体。
[Ｃ５７]  前記命令が、
カバレージ拡張レベルのセットから前記カバレージ拡張レベルを選定することを行うために実行可能であり、ここにおいて、前記セットが、カバレージ拡張なしに対応するレベルを備える、
Ｃ４７に記載の非一時的コンピュータ可読媒体。
[Ｃ５８]  ワイヤレス通信のためのコードを記憶する非一時的コンピュータ可読媒体であって、前記コードは、
半持続性スケジューリング（ＳＰＳ）のための構成を示すシグナリングを送信することと、
前記ＳＰＳをアクティブ化するダウンリンク制御メッセージを送信することと、ここにおいて、前記構成または前記ダウンリンク制御メッセージがカバレージ拡張レベルを示す、および
前記カバレージ拡張レベルに従って、前記ＳＰＳによって割り当てられたリソース上でユーザ機器（ＵＥ）と通信することと
を行うために実行可能な命令を備える、非一時的コンピュータ可読媒体。
[Ｃ５９]  前記命令は、
複数のカバレージ拡張レベルの各々のための周期性のセットを識別することと、および  周期性の各セットから周期性を選定することと、ここにおいて、前記ＳＰＳのための前記構成が、各セットからの前記周期性を備える、
を行うために実行可能である、Ｃ５８に記載の非一時的コンピュータ可読媒体。
[Ｃ６０]  前記命令は、
リソースの動的割当てを備える第２のダウンリンク制御メッセージを送信することと、ここにおいて、前記動的割当てが、前記ＳＰＳによって割り当てられた前記リソースと重複する、および
リソースの前記動的割当てに少なくとも部分的に基づいて、前記ＵＥと通信することとを行うために実行可能である、Ｃ５８に記載の非一時的コンピュータ可読媒体。